(57)【要約】  被試験デバイスの表面に設けられた複数の第１端子の位置情報、および、被試験デバイスの試験に用いられるプローブカードの表面に設けられた複数の第２端子の位置情報を取得する位置情報取得部と、位置情報取得部により取得された複数の第１端子の位置情報および複数の第２端子の位置情報に基づいて、複数の第１端子のそれぞれと対応する複数の第２端子のそれぞれとの変位量を算出し、変位量の最大値を予め定められた値より小さくすべく、被試験デバイスとプローブカードとの相対位置を決定する制御部と、制御部からの信号に基づいて、被試験デバイスとプローブカードとの相対位置を調整し、被試験デバイスとプローブカードとを電気的に接続させる位置合わせ部とを備える。
2011027392.tif 000002
【特許請求の範囲】
【請求項１】
被試験デバイスの表面に設けられた複数の第１端子の位置情報、および、前記被試験デバイスの試験に用いられるプローブカードの表面に設けられた複数の第２端子の位置情報を取得する、位置情報取得部と、
前記位置情報取得部により取得された前記複数の第１端子の位置情報および前記複数の第２端子の位置情報に基づいて、前記複数の第１端子のそれぞれと対応する前記複数の第２端子のそれぞれとの変位量を算出し、前記変位量の最大値を予め定められた値より小さくすべく、前記被試験デバイスと前記プローブカードとの相対位置を決定する制御部と、
前記制御部からの信号に基づいて、前記被試験デバイスと前記プローブカードとの相対位置を調整し、前記被試験デバイスと前記プローブカードとを電気的に接続させる、位置合わせ部と、
を備える、
試験装置。
【請求項２】
複数の前記プローブカードと、
前記複数のプローブカードのそれぞれに対応し、前記被試験デバイスを試験する、複数のテストヘッドとをさらに備え、
前記複数のプローブカードのそれぞれは、前記複数のテストヘッドのそれぞれと前記被試験デバイスとを電気的に接続する、
請求項１に記載の試験装置。
【請求項３】
被試験デバイスの表面に設けられた複数の第１端子の位置情報、および、前記被試験デバイスの試験に用いられるプローブカードの表面に設けられた複数の第２端子の位置情報を取得する、位置情報取得部と、
前記位置情報取得部により取得された前記複数の第１端子の位置情報および前記複数の第２端子の位置情報に基づいて、前記複数の第１端子のそれぞれと対応する前記複数の第２端子のそれぞれとの変位量を算出し、前記変位量の最大値を予め定められた値より小さくすべく、前記被試験デバイスと前記プローブカードとの相対位置を決定する、制御部と、
前記制御部により決定された前記相対位置における前記変位量を、前記複数の第２端子のそれぞれと対応づけて記憶する、第１の記憶部と、
前記制御部からの信号に基づいて、前記被試験デバイスと前記プローブカードとの相対位置を調整し、前記被試験デバイスと前記プローブカードとを電気的に接続させる、位置合わせ部と、
前記プローブカードと電気的に接続された前記被試験デバイスを試験する、テストヘッドと、
前記試験の結果を、前記複数の第２端子のそれぞれと対応付けて記憶する、第２の記憶部と、
前記試験により前記被試験デバイスが不良であると判断された場合において、不良箇所における前記変位量が所定値より小さい場合には、前記被試験デバイスまたは前記プローブカードに問題があると判断し、前記不良箇所における前記変位量が所定値より大きい場合には、前記被試験デバイスと前記プローブカードとの接続状態に問題があると判断する、解析部と、
を備える、
試験装置。
【請求項４】
前記位置情報取得部は、前記被試験デバイスの表面および前記プローブカードの表面の少なくとも一方を撮像する撮像部である、
請求項１から請求項３までのいずれか一項に記載の試験装置。
【請求項５】
被試験デバイスの表面に設けられた複数の第１端子の位置情報、および、前記被試験デバイスの試験に用いられるプローブカードの表面に設けられた複数の第２端子の位置情報を取得する段階と、
前記複数の第１端子の位置情報および前記複数の第２端子の位置情報に基づいて、前記複数の第１端子のそれぞれと、対応する前記複数の第２端子のそれぞれとの変位量を算出し、前記変位量の最大値を予め定められた値より小さくすべく、前記被試験デバイスと前記プローブカードとを位置合わせする段階と、
を備える、
試験方法。
【請求項６】
前記変位量の最大値を最小とすべく、前記被試験デバイスと前記プローブカードとを位置合わせする、
請求項５に記載の試験方法。
【請求項７】
前記位置合わせする段階は、
前記被試験デバイスと前記プローブカードとの相対位置を変化させた複数の場合について、前記変位量の最大値を算出する段階と、
前記複数の場合について算出された前記変位量の最大値に基づいて、前記被試験デバイスと前記プローブカードとの相対位置を決定する段階と、
を有する
請求項５または請求項６に記載の試験方法。
【請求項８】
前記位置情報を取得する段階は、
複数の前記プローブカードを準備する段階と、
前記複数のプローブカードのそれぞれについて、前記複数の第２端子の位置情報を取得する段階と、
を有し、
前記位置合わせする段階は、
前記変位量の最大値を予め定められた値より小さくすべく、前記被試験デバイスと前記複数のプローブカードのそれぞれとの相対位置を決定する段階と、
決定された前記相対位置における前記変位量の最大値に基づいて、前記複数のプローブカードのいずれかを選択する段階と、
を有し、
前記相対位置を決定する段階で決定された前記相対位置に基づいて、前記被試験デバイスと、前記複数のプローブカードのいずれかを選択する段階で選択された前記プローブカードとを位置合わせする、
請求項５から請求項７までの何れか一項に記載の試験方法。
【請求項９】
前記複数の第１端子の位置情報および前記複数の第２端子の位置情報に基づいて、前記複数の第２端子のそれぞれについて、位置合わせされた状態における、対応する第１端子との変位量を算出する段階と、
前記複数の第２端子のそれぞれについて、位置合わせされた状態における前記変位量を記憶する段階と、
前記被試験デバイスを試験する段階と、
前記試験の結果を、前記複数の第２端子のそれぞれと対応付けて記憶する段階と、
を更に備え、
前記試験により前記被試験デバイスが不良であると判断された場合に、
不良箇所における前記変位量が所定値より小さい場合には、前記被試験デバイスまたは前記プローブカードに問題があると判断し、
前記不良箇所における前記変位量が所定値より大きい場合には、前記被試験デバイスと前記プローブカードとの接続状態に問題があると判断する、
請求項５から請求項８までの何れか一項に記載の試験方法。
【請求項１０】
被試験デバイスを試験する試験装置に、
被試験デバイスの表面に設けられた複数の第１端子の位置情報、および、前記被試験デバイスの試験に用いられるプローブカードの表面に設けられた複数の第２端子の位置情報を取得する手順と、
前記複数の第１端子の位置情報および前記複数の第２端子の位置情報に基づいて、前記複数の第１端子のそれぞれと、対応する前記複数の第２端子のそれぞれとの変位量を算出し、前記変位量の最大値を予め定められた値より小さくすべく、前記被試験デバイスと前記プローブカードとを位置合わせする手順と、
を実行させる、
プログラム。
【発明の詳細な説明】
【技術分野】
【０００１】
本発明は、試験装置、試験方法およびプログラムに関する。
【背景技術】
【０００２】
半導体ウエハ上の複数の半導体チップを一括して試験する場合、半導体チップの試験パッドに対応した多数のバンプを有するプローブカードが使用されている。試験パッドおよびバンプは非常に小さいので、対応する試験パッドとバンプとを正確に位置合わせする目的で、半導体ウエハとプローブカードとの両方にアライメントマークを付して、アライメントマークを用いて半導体ウエハとプローブカードとを位置決めすることが行われている。
【先行技術文献】
【特許文献】
【０００３】
【特許文献１】特許第４１８７７１８号
【特許文献２】特開平７−２３１０１９号公報
【特許文献３】特開平１１−１５４６９４号公報
【発明の概要】
【発明が解決しようとする課題】
【０００４】
半導体ウエハとプローブカードとを高精度に位置決めした場合であっても、半導体ウエハ、プローブカードもしくはアライメントマークの製造誤差、または、温度変化等により生じた半導体ウエハもしくはプローブカードの変形により、試験パッドとバンプとの間に位置ずれが発生する場合がある。
【課題を解決するための手段】
【０００５】
上記課題を解決すべく、本発明の第１態様として、被試験デバイスの表面に設けられた複数の第１端子の位置情報、および、被試験デバイスの試験に用いられるプローブカードの表面に設けられた複数の第２端子の位置情報を取得する位置情報取得部と、位置情報取得部により取得された複数の第１端子の位置情報および複数の第２端子の位置情報に基づいて、複数の第１端子のそれぞれと対応する複数の第２端子のそれぞれとの変位量を算出し、変位量の最大値を予め定められた値より小さくすべく、被試験デバイスとプローブカードとの相対位置を決定する制御部と、制御部からの信号に基づいて、被試験デバイスとプローブカードとの相対位置を調整し、被試験デバイスとプローブカードとを電気的に接続させる位置合わせ部とを備える試験装置が提供される。上記試験装置は、複数のプローブカードと、複数のプローブカードのそれぞれに対応し、被試験デバイスを試験する複数のテストヘッドとをさらに備えてよく、複数のプローブカードのそれぞれは、複数のテストヘッドのそれぞれと被試験デバイスとを電気的に接続してよい。【０００６】
上記課題を解決すべく、本発明の第２態様として、被試験デバイスの表面に設けられた複数の第１端子の位置情報および被試験デバイスの試験に用いられるプローブカードの表面に設けられた複数の第２端子の位置情報を取得する位置情報取得部と、位置情報取得部により取得された複数の第１端子の位置情報および複数の第２端子の位置情報に基づいて、複数の第１端子のそれぞれと対応する複数の第２端子のそれぞれとの変位量を算出し、変位量の最大値を予め定められた値より小さくすべく、被試験デバイスとプローブカードとの相対位置を決定する制御部と、制御部により決定された相対位置における変位量を、複数の第２端子のそれぞれと対応づけて記憶する第１の記憶部と、制御部からの信号に基づいて、被試験デバイスとプローブカードとの相対位置を調整し、被試験デバイスとプローブカードとを電気的に接続させる位置合わせ部と、プローブカードと電気的に接続された被試験デバイスを試験するテストヘッドと、試験の結果を複数の第２端子のそれぞれと対応付けて記憶する第２の記憶部と、試験により被試験デバイスが不良であると判断された場合において、不良箇所における変位量が所定値より小さい場合には、被試験デバイスまたはプローブカードに問題があると判断し、不良箇所における変位量が所定値より大きい場合には、被試験デバイスとプローブカードとの接続状態に問題があると判断する解析部とを備える試験装置が提供される。【０００７】
上記試験装置において、位置情報取得部は、被試験デバイスの表面およびプローブカードの表面の少なくとも一方を撮像する撮像部であってよい。【０００８】
本発明の第３態様として、被試験デバイスの表面に設けられた複数の第１端子の位置情報、および、被試験デバイスの試験に用いられるプローブカードの表面に設けられた複数の第２端子の位置情報を取得する段階と、複数の第１端子の位置情報および複数の第２端子の位置情報に基づいて、複数の第１端子のそれぞれと、対応する複数の第２端子のそれぞれとの変位量を算出し、変位量の最大値を予め定められた値より小さくすべく、被試験デバイスとプローブカードとを位置合わせする段階とを備える試験方法が提供される。【０００９】
上記試験方法において、変位量の最大値を最小とすべく、被試験デバイスとプローブカードとを位置合わせしてよい。上記試験方法において、位置合わせする段階は、被試験デバイスとプローブカードとの相対位置を変化させた複数の場合について、変位量の最大値を算出する段階と、複数の場合について算出された変位量の最大値に基づいて、被試験デバイスとプローブカードとの相対位置を決定する段階とを有してよい。【００１０】
上記試験方法において、位置情報を取得する段階は、複数のプローブカードを準備する段階と、複数のプローブカードのそれぞれについて、複数の第２端子の位置情報を取得する段階とを有してよく、位置合わせする段階は、被試験デバイスと複数のプローブカードのそれぞれとの相対位置を決定する段階と、決定された相対位置における変位量の最大値に基づいて、複数のプローブカードのいずれかを選択する段階とを有してよく、相対位置を決定する段階で決定された相対位置に基づいて、被試験デバイスと、複数のプローブカードのいずれかを選択する段階で選択されたプローブカードとを位置合わせしてよい。【００１１】
上記試験方法は、複数の第１端子の位置情報および複数の第２端子の位置情報に基づいて、複数の第２端子のそれぞれについて、位置合わせされた状態における、対応する第１端子との変位量を算出する段階と、複数の第２端子のそれぞれについて、位置合わせされた状態における変位量を記憶する段階と、被試験デバイスを試験する段階と、試験の結果を、複数の第２端子のそれぞれと対応付けて記憶する段階とを更に備えてよく、試験により被試験デバイスが不良であると判断された場合に、不良箇所における変位量が所定値より小さい場合には、被試験デバイスまたはプローブカードに問題があると判断し、不良箇所における変位量が所定値より大きい場合には、被試験デバイスとプローブカードとの接続状態に問題があると判断してよい。【００１２】
上記の発明の概要は、本発明の必要な特徴の全てを列挙したものではない。また、これら特徴群のサブコンビネーションも発明となり得る。
【図面の簡単な説明】
【００１３】
【図１】試験装置１００の正面図の一例を示す。
【図２】試験装置１００の部分縦断面図の一例を示す。
【図３】試験装置１００の部分水平断面図の一例を示す。
【図４】アライメントユニット４００の部分縦断面図の一例を示す。
【図５】テストヘッド２００の断面図の一例を示す。
【図６】プローブカード３００の分解図の一例を示す。
【図７】メンブレンユニット３７０の部分拡大断面図の一例を示す。
【図８】ウエハ８１０とプローブカード８２０の平面図の一例を示す。
【図９】制御システム５００のシステム構成の一例を示す。
【図１０】試験装置１００の試験方法のフローチャートの一例を示す。
【図１１】Ｓ１０２０における相対位置の決定方法のフローチャートを示す。
【図１２】試験装置１００の試験方法のフローチャートの別の例を示す。
【符号の説明】
【００１４】
１００  試験装置、１０１  ウエハ、１１０  ＥＦＥＭ（Ｅｑｕｉｐｍｅｎｔ  Ｆｒｏｎｔ  Ｅｎｄ  Ｍｏｄｕｌｅ）、１１２  シグナルランプ、１１４  ＥＭＯ（ＥＭｅｒｇｅｎｃｙ  Ｏｆｆ）、１１５  レール、１１６  ロボットアーム、１１７  コラム、１１８  プリアライナ、１２０  操作部、１２２  ディスプレイ、１２４  アーム、１２６  入力装置、１３０  ロードユニット、１３２  ロードテーブル、１３４  ロードゲート、１４０  チラーユニット、１５０  ＦＯＵＰ（Ｆｒｏｎｔ  Ｏｐｅｎｉｎｇ  Ｕｎｉｆｉｅｄ  Ｐｏｄ）、１６０  メインフレーム、２００  テストヘッド、２０１  筐体、２０２  コンタクタ、２１０  ピンエレクトロニクス、２２０  マザーボード、２２２  アングルコネクタ、２２４  中継コネクタ、２２６  アングルコネクタ、２２８  小基板、２３０  フラットケーブル、２４０  支持基板、２５０  三次元アクチュエータ、２６０  コンタクタ基板、２７０  サブ基板、２８０  コンタクタハウジング、３００  プローブカード、３１２  上部フレーム、３１４  下部フレーム、３１６  ネジ、３２０  配線基板、３２３  コンタクトパッド、３３０  ガイドユニット、３４０  ＰＣＲシート（Ｐｒｅｓｓｕｒｅ  ｓｅｎｓｉｔｉｖｅ  Ｃｏｎｄｕｃｔｉｖｅ  Ｒｕｂｅｒ  Ｓｈｅｅｔ）、３４１  貫通電極、３４４  貫通孔、３５０  インタポーザ、３５１  コンタクトパッド、３５３  コンタクトパッド、３５４  貫通孔、３６０  ＰＣＲシート、３６１  貫通電極、３６４  貫通孔、３７０  メンブレンユニット、３７１  コンタクトパッド、３７２  弾性シート、３７３  バンプ、３７４  貫通孔、３７５  貫通電極、３７６  フレーム、４００  アライメントユニット、４０１  筐体、４０２  レール、４１０  アライメントステージ、４２０  ステージキャリア、４２２  レール、４３０  マイクロスコープ、４４０  ハンガフック、４５０  ウエハトレイ、５００  制御システム、５１０  記憶部、８１０  ウエハ、８１１  アライメントマーク、８１２  試験パッド、８１４  試験パッド、８１６  試験パッド、８１８  試験パッド、８２０  プローブカード、８２１  アライメントマーク、８２２  バンプ、８２４  バンプ、８２６  バンプ、８２８  バンプ
【発明を実施するための形態】
【００１５】
以下、発明の実施の形態を通じて本発明を説明するが、以下の実施形態は請求の範囲に係る発明を限定するものではない。また、実施形態の中で説明されている特徴の組み合わせの全てが発明の解決手段に必須であるとは限らない。
【００１６】
図１は、試験装置１００の正面図の一例を概略的に示す。試験装置１００は、ＥＦＥＭ１１０、操作部１２０、ロードユニット１３０、チラーユニット１４０を備える。試験装置１００は、例えば、半導体ウエハに形成された半導体チップ等のデバイスの電気的特性を試験して、被試験デバイスの良否を判断する。試験装置１００は、半導体ウエハ上に形成されている複数の半導体チップに対して、一括して試験を実施してよい。半導体ウエハおよび半導体チップは、被試験デバイスの一例であってよい。
【００１７】
ＥＦＥＭ１１０は、試験対象となる半導体ウエハ等の基板を試験装置１００の内部で搬送する機構を内蔵する。ＥＦＥＭ１１０は、被試験デバイスを搬送する搬送部の一例であってよい。本実施形態において、ＥＦＥＭ１１０は試験装置１００のなかで最も寸法が大きいので、ＥＦＥＭ１１０前面の高い位置に、試験装置１００の動作状態を示すシグナルランプ１１２と、試験装置１００を非常停止させる場合に操作するＥＭＯ１１４とが配される。
【００１８】
操作部１２０は、ディスプレイ１２２、アーム１２４および入力装置１２６を有する。本実施形態において、操作部１２０はＥＦＥＭ１１０に支持される。アーム１２４は、一端をＥＦＥＭ１１０に結合され、他端においてディスプレイ１２２および入力装置１２６を移動自在に支持する。
【００１９】
ディスプレイ１２２は、例えば液晶表示装置、タッチパネルディスプレイを含み、試験装置１００の動作状態、入力装置１２６からの入力内容のエコーバック等を表示する。入力装置１２６は、例えばキーボード、マウス、トラックボール、ジョグタイヤル、タッチパネルディスプレイ、記憶媒体の読取装置等を含み、試験装置１００の設定、操作等に関する指示または情報を受け付ける。なお、これらの指示等は、通信回線を介して他のコンピュータから試験装置１００に入力されてもよい。
【００２０】
ロードユニット１３０は、ロードテーブル１３２およびロードゲート１３４を有する。ロードテーブル１３２は、試験の対象となる半導体ウエハを収容した容器が載せられる。ロードゲート１３４は、試験装置１００に半導体ウエハを搬入または搬出する場合に開閉する。これにより、試験装置１００内部の清浄度を低下させることなく、外部から半導体ウエハをロードできる。
【００２１】
チラーユニット１４０は、試験装置１００における試験により温度が上昇したウエハを、搬出前に冷却してよい。チラーユニット１４０への半導体ウエハの搬入および搬出には、例えばＥＦＥＭ１１０を利用できる。チラーユニット１４０は冷却水の温度を調整して、試験装置１００内部の温度制御を担う空調設備に冷却水を供給してよい。チラーユニット１４０はＥＦＥＭ１１０に隣接して配されてもよく、ロードユニット１３０と、試験を実行するテストヘッドとの間に配されてもよい。
【００２２】
図２は、試験装置１００の部分縦断面図の一例を概略的に示す。図１と共通の要素には同じ参照番号を付して重複する説明を省く。試験装置１００は、ロードユニット１３０、ＥＦＥＭ１１０、メインフレーム１６０、アライメントユニット４００、プローブカード３００およびテストヘッド２００を備える。なお、図２においては、チラーユニット１４０の図示を省略する。
【００２３】
本実施形態においては、ロードユニット１３０、ＥＦＥＭ１１０およびメインフレーム１６０が、前面（図中の左側）から後方（図中の右側）に向かって順次隣接して配される。また、アライメントユニット４００、プローブカード３００およびテストヘッド２００は、メインフレーム１６０の上に積層される。ロードユニット１３０とＥＦＥＭ１１０、および、アライメントユニット４００とＥＦＥＭ１１０とは、それぞれ内部で気密に連通されており、これらの内部は高い清浄度を保たれる。
【００２４】
ロードユニット１３０のロードテーブル１３２には、ＦＯＵＰ１５０が載せられる。ＦＯＵＰ１５０は、試験対象となるウエハ１０１を複数格納する。また、試験終了後のウエハ１０１を回収する場合にも、ＦＯＵＰ１５０にウエハが収納される。
【００２５】
ＥＦＥＭ１１０は、ロボットアーム１１６を内蔵する。ロボットアーム１１６は、レール１１５に沿って走行するコラム１１７に搭載され、ロードユニット１３０およびアライメントユニット４００の間でウエハを搬送する。ロボットアーム１１６は、ロードゲート１３４を通して、ＦＯＵＰ１５０からウエハ１０１を１枚ずつ取り出して、アライメントユニット４００に搬送する。
【００２６】
メインフレーム１６０は、試験装置１００の各部の動作を制御する。本実施形態において、メインフレーム１６０は、テストヘッド２００、アライメントユニット４００の動作を制御する制御システム５００を有する。制御システム５００は、操作部１２０の入力装置１２６で受け付けた入力を試験装置１００の各部に反映させてよい。また、制御システム５００は、試験装置１００の動作状態を反映させた表示内容を生成して、ディスプレイ１２２に表示させてよい。制御システム５００は、制御部の一例であってよい。
【００２７】
制御システム５００は、試験プログラムに従ってテストヘッド２００の動作を制御してよい。制御システム５００は、ロードユニット１３０、ＥＦＥＭ１１０およびアライメントユニット４００の動作を同期させて、ウエハ１０１を相互に受け渡しさせてよい。制御システム５００は、ＥＭＯ１１４が操作された場合、試験装置１００各部の動作を直ちに停止させてよい。
【００２８】
制御システム５００は、他の試験装置、プローブカード３００の製造装置、被試験デバイスの製造装置と、通信回線を介して接続されてよい。これにより、制御システム５００は、通信回線を介して、他の試験装置における被試験デバイスの試験結果、または、プローブカードもしくは被試験デバイスの設計もしくは製造に関する情報を得ることができる。なお、制御システム５００は、これらの情報を操作部１２０から得てもよい。
【００２９】
テストヘッド２００は、ウエハ１０１と電気的に接続され、ウエハ１０１の電気的特性を試験する。テストヘッド２００は、ウエハ１０１のバーンイン検査を実施してよい。テストヘッド２００は、複数のピンエレクトロニクス２１０を格納する。ピンエレクトロニクス２１０は、試験の対象および試験の内容に応じて求められる電気回路を有する。本実施形態において、テストヘッド２００は、下面に装着されたコンタクタ２０２を介して、プローブカード３００と電気的に接続される。
【００３０】
プローブカード３００は、被試験デバイスの試験に用いられる。プローブカード３００は、試験装置１００において試験を実行する場合に、テストヘッド２００とウエハ１０１との間に介在して、テストヘッド２００とウエハ１０１とを電気的に接続する配線基板ユニットであってよい。ウエハ１０１に対して試験を実行する場合、プローブカード３００により、テストヘッド２００とウエハ１０１との間に電気的な信号経路が形成される。プローブカード３００を交換することにより、レイアウトの異なるウエハ１０１に試験装置１００を対応させることができる。
【００３１】
アライメントユニット４００は、制御システム５００からの信号に基づいて、ウエハ１０１とプローブカード３００との相対位置を調整し、ウエハ１０１とプローブカード３００とを電気的に接続させる。アライメントユニット４００は、制御システム５００からの信号に基づいて、制御システム５００により選択されたプローブカード３００とウエハ１０１とを電気的に接続させてよい。アライメントユニット４００は、位置合わせ部の一例であってよい。
【００３２】
本実施形態において、アライメントユニット４００は、アライメントステージ４１０を有する。アライメントステージ４１０は、ウエハトレイ４５０およびウエハ１０１を搭載してレール４０２に沿って走行する。アライメントステージ４１０は、ウエハ１０１とプローブカード３００との相対位置を調整し、プローブカード３００とウエハ１０１とを位置合わせする。
【００３３】
本実施形態において、アライメントステージ４１０は、垂直方向に伸縮して、搭載したウエハ１０１を上昇または降下させることができる。アライメントステージ４１０は、ウエハ１０１をプローブカード３００に向けて移動させることで、ウエハ１０１をプローブカード３００に押し付ける。これにより、ウエハ１０１の表面に設けられた端子と、プローブカード３００の表面に設けられ、当該端子に対応する端子とが接触する。なお、本明細書において、「対応する端子」とは、被試験デバイスの試験を実施するときに電気的に接続される端子を言う。ウエハ１０１の試験パッドおよびプローブカード３００のバンプは上記端子の一例であってよい。
【００３４】
なお、本実施形態において、アライメントステージ４１０が垂直方向に伸縮し、ウエハ１０１をプローブカード３００に押し付けることで、両者を電気的に接続する場合について説明した。しかし、両者を電気的に接続する方法はこれに限定されない。例えば、ウエハ１０１を保持したアライメントステージ４１０が水平方向に伸縮し、垂直に保持されたプローブカード３００に対してウエハ１０１を押し付けることで、両者を電気的に接続してもよい。
【００３５】
図３は、試験装置１００の部分水平断面図の一例を概略的に示す。図１および図２と共通の要素には同じ参照番号を付して重複する説明を省く。本実施形態において、試験装置１００は、４基のロードユニット１３０と、４基のテストヘッド２００とを備える。また、ロードユニット１３０の各々には、ＦＯＵＰ１５０が装填される。ＥＦＥＭ１１０およびアライメントユニット４００は１基ずつ配される。また、アライメントユニット４００は、単一のアライメントステージ４１０を備える。本実施形態において、試験装置１００は、複数のテストヘッド２００のそれぞれに対応する、複数のプローブカード３００を有する。
【００３６】
ＥＦＥＭ１１０において、ロボットアーム１１６を支持するコラム１１７は、レール１１５に沿って、ＥＦＥＭ１１０の略全幅にわたって移動する。従って、ロボットアーム１１６は、４基のロードユニット１３０および４基のテストヘッドの全てにウエハ１０１を搬送できる。
【００３７】
ＥＦＥＭ１１０の内部において、チラーユニット１４０と反対側の端部には、プリアライナ１１８が配される。プリアライナ１１８は、ロボットアーム１１６に対するウエハ１０１の搭載位置を、テストヘッド２００が要求する精度よりは低いが相当に高い精度で調整する。これにより、ロボットアーム１１６がウエハトレイ４５０にウエハ１０１を搭載する場合の初期位置精度が向上され、プローブカード３００に対する位置合わせに要する時間が短縮される。また、試験装置１００のスループットを向上させることができる。
【００３８】
アライメントユニット４００は、レール４０２、アライメントステージ４１０、レール４２２、ステージキャリア４２０およびマイクロスコープ４３０を有する。レール４０２は、筐体４０１底面の略全幅にわたって配される。
【００３９】
ステージキャリア４２０は、レール４０２に沿って、筐体４０１の長手方向に移動する。ステージキャリア４２０は、レール４０２に直行するレール４２２を上面に有する。ステージキャリア４２０は、アライメントステージ４１０およびマイクロスコープ４３０の一部を搭載する。アライメントステージ４１０およびマイクロスコープ４３０の一部は、レール４２２の上を筐体４０１の短手方向に移動する。
【００４０】
本実施形態においては、一対のマイクロスコープ４３０がステージキャリア４２０に搭載される。一対のマイクロスコープ４３０はレール４０２の延伸方向に離間して配される。これにより、ウエハ１０１またはプローブカード３００を撮像する場合のステージキャリア４２０の移動量を抑制できる。一対のマイクロスコープ４３０は上方に向かって配される。一対のマイクロスコープ４３０は、プローブカード３００を撮像し、プローブカード３００の表面に設けられたバンプの位置及び形状に関する情報を取得する。
【００４１】
マイクロスコープ４３０の他の一部は、筐体４０１の天井面に配される。これらのマイクロスコープ４３０は、下方に向かって配される。これらのマイクロスコープ４３０は、テストヘッド２００のそれぞれに対応して、対応するプローブカード３００の直近に配される。これらのマイクロスコープ４３０は、アライメントステージ４１０上に載置されたウエハ１０１を撮像し、ウエハ１０１の表面に設けられた試験パッドの位置および形状に関する情報を取得する。試験パッドは、ウエハ１０１に形成されたデバイスの試験を実行する場合に、当該デバイスに対する信号の入出力、電力の供給等に用いる電気接点をなす。試験パッドは、第１端子の一例であってよい。
【００４２】
マイクロスコープ４３０により撮像された画像データを利用することで、プローブカード３００とウエハ１０１とを、プリアライナ１１８の精度と比較してより高い精度で位置合わせすることができる。例えば、マイクロスコープ４３０により撮像された画像データを解析して、ウエハ１０１の縁部またはウエハ１０１に設けられたアライメントマークを検出することで、ウエハ１０１の位置を検出できる。一方、筐体４０１の天井面に配されたマイクロスコープ４３０とプローブカード３００との相対位置は既知である。
【００４３】
そこで、検出されたウエハ１０１の位置と、プローブカード３００の位置との差分を算出して、当該差分が補償されるようにアライメントステージ４１０を移動させることで、ウエハ１０１とプローブカード３００とを位置合わせすることができる。なお、ウエハ１０１とプローブカード３００との位置合わせは、これに限定されない。例えば、ディスプレイ１２２にマイクロスコープ４３０の映像を表示して、ウエハ１０１とプローブカード３００とを手動で位置合わせしてもよい。
【００４４】
さらに、本実施形態においては、マイクロスコープ４３０により取得された位置情報を利用して、ウエハ１０１の表面に設けられた複数の端子と、プローブカード３００の表面に設けられた複数の端子との接触状態がより良好になるように、ウエハ１０１とプローブカード３００とを位置合わせする。これにより、ウエハ１０１の表面に設けられた複数の端子と、プローブカード３００の表面に設けられた複数の端子とを、より安定的に接触させることができる。
【００４５】
マイクロスコープ４３０は、ウエハ１０１の表面およびプローブカード３００の表面の少なくとも一方を撮像する撮像部の一例であってよい。また、マイクロスコープ４３０は、ウエハ１０１の表面に設けられた複数の端子の位置情報、および、プローブカード３００の表面に設けられた複数の端子の位置情報を取得する位置情報取得部の一例であってよい。
【００４６】
本明細書において、ウエハ１０１の表面に設けられた複数の端子の「位置情報」とは、ウエハ１０１における各端子の相対位置および形状を表す。同様に、プローブカード３００の表面に設けられた複数の端子の位置情報とは、プローブカード３００における各端子の相対位置および形状を表す。
【００４７】
本実施形態においては、ウエハ１０１またはプローブカード３００を撮像することにより、全ての端子の位置情報を取得しているが、位置情報取得部の機能はこれに限定されない。例えば、被試験デバイスまたはプローブカードの表面に設けられた端子のうち、機能的に重要な端子または位置合わせの精度を向上させるのに重要な端子についてのみ位置情報を取得してもよい。機能的に重要な端子としては、電源を供給する端子、周波数の高い信号を扱う端子などを例示できる。位置合わせの精度を向上させるのに重要な端子としては、複数の端子が集まって一定の形状を形成している場合に、当該形状の輪郭を形成する端子などを例示できる。
【００４８】
図４は、アライメントユニット４００の部分縦断面図の一例を概略的に示す。図１から図３と共通の要素には同じ参照番号を付して重複する説明を省くまた、図４においては、メインフレーム１６０の図示を省略した。図４に示すとおり、アライメントユニット４００は、筐体４０１、アライメントステージ４１０およびハンガフック４４０を備える。
【００４９】
筐体４０１は、複数のテストヘッド２００、例えば４基のテストヘッド２００に応じた幅を有する。また、筐体４０１の上面には、テストヘッド２００の各々に対応して４枚のプローブカード３００が装着される。更に、筐体４０１内部の天井面には、テストヘッド２００の各々に対応する位置に、開閉するハンガフック４４０がそれぞれ配される。
【００５０】
ハンガフック４４０は、閉じた状態ではウエハトレイ４５０を懸下して、ウエハトレイ４５０をプローブカード３００の直下に保持する。これにより、アライメントユニット４００は、テストヘッド２００およびプローブカード３００の各々の直下に、それぞれウエハトレイ４５０を待機させる。ハンガフック４４０が開くと、ウエハトレイ４５０は開放される。
【００５１】
上記のアライメントユニット４００においては、ハンガフック４４０に保持されたウエハトレイ４５０は、下方から上昇してきたアライメントステージ４１０の上に、いったん搭載される。次に、ハンガフック４４０を開いた状態でアライメントステージ４１０を降下させることにより、ウエハトレイ４５０をハンガフック４４０から開放することができる。
【００５２】
続いて、アライメントステージ４１０の降下により上面を開放されたウエハトレイ４５０に、ＥＦＥＭ１１０のロボットアーム１１６がウエハ１０１を搭載する。こうして、アライメントステージ４１０は、ウエハトレイ４５０に載せられた状態でウエハ１０１を搭載できる。
【００５３】
次に、アライメントステージ４１０は、プローブカード３００に対してウエハ１０１を位置合わせしつつ、ウエハトレイ４５０を上昇させて、プローブカード３００の下面に押し付ける。この状態で、プローブカード３００、ウエハ１０１およびウエハトレイ４５０を一体化させる。
【００５４】
例えば、プローブカード３００とウエハトレイ４５０とがウエハ１０１を挟み込んだ状態で、プローブカード３００とウエハトレイ４５０との間を低圧にすることで、プローブカード３００、ウエハ１０１およびウエハトレイ４５０を一体化させることができる。他の方法としては、ウエハ１０１を挟み込んだプローブカード３００とウエハトレイ４５０とを外部から挟みこむ固定治具を用いてもよい。
【００５５】
その後、アライメントステージ４１０は、ウエハ１０１およびウエハトレイ４５０を残して移動する。プローブカード３００、ウエハ１０１およびウエハトレイ４５０は一体化しているので、アライメントステージ４１０がなくてもウエハ１０１およびウエハトレイ４５０は落下しない。
【００５６】
これにより、ウエハ１０１を、テストヘッド２００に対して装填できる。また、上記テストヘッド２００がウエハ１０１の試験を実施している間、アライメントステージ４１０は、他のテストヘッド２００に対して他のウエハ１０１を搬送することができる。なお、試験を終えたウエハ１０１を回収する場合は、上記一連の操作を逆の順序で実行すればよい。これにより、ロボットアーム１１６によりウエハ１０１を搬出できる。このとき、ウエハトレイ４５０は、テストヘッド２００の直下で待機する。
【００５７】
図４の例では、図中、右端のテストヘッド２００においては、テストヘッド２００の直下で、ウエハトレイ４５０およびウエハ１０１が、プローブカード３００と一体化されている。このとき、ハンガフック４４０は閉じているが、ウエハトレイ４５０には接していない。また、右から２番目のテストヘッド２００においては、テストヘッド２００の直下で、アライメントステージ４１０が、搭載したウエハトレイ４５０およびウエハ１０１を押し上げて、プローブカード３００の下面に密着させている。他のテストヘッド２００の下方では、ハンガフック４４０がウエハトレイ４５０を保持して待機している。
【００５８】
このように、アライメントユニット４００においては、４基のテストヘッド２００の各々に対応してウエハトレイ４５０が装備される。これにより、テストヘッド２００の各々が個別にウエハ１０１を試験できる。なお、複数のテストヘッド２００は、互いに同じ種類の試験を実行してもよいし、互いに異なる種類の試験を実行してもよい。また、後者の場合、時間のかかる試験を複数のテストヘッドに担わせることにより、試験装置１００のスループットを向上させることもできる。
【００５９】
このように、試験装置１００においては、単一のアライメントステージ４１０およびロボットアーム１１６を、複数のテストヘッド２００の間で共用する。これにより、試験を実行している期間は不要なアライメントステージ４１０およびロボットアーム１１６の利用効率を向上させることができる。
【００６０】
図５は、テストヘッド２００の断面図の一例を概略的に示す。図１から図４と共通の要素には同じ参照番号を付して重複する説明を省く。テストヘッド２００は、筐体２０１、コンタクタ２０２、ピンエレクトロニクス２１０、マザーボード２２０およびフラットケーブル２３０を備える。
【００６１】
筐体２０１の内部には、複数の中継コネクタ２２４を有するマザーボード２２０が水平に配される。中継コネクタ２２４は、マザーボード２２０の上面側および下面側にそれぞれレセプタクルを有して、マザーボード２２０を貫通する信号経路を形成する。
【００６２】
マザーボード２２０の上面において、中継コネクタ２２４の各々には、アングルコネクタ２２２を介してピンエレクトロニクス２１０が装着される。このような構造により、試験対象の仕様および試験内容に応じてピンエレクトロニクス２１０を交換することができる。
【００６３】
複数のピンエレクトロニクス２１０は、互いに同じ仕様である場合も、互いに異なる仕様である場合もある。また、一部の中継コネクタ２２４に、ピンエレクトロニクス２１０が装着されない場合もある。
【００６４】
マザーボード２２０の下面において、中継コネクタ２２４の各々には、アングルコネクタ２２６を介して小基板２２８が接続される。小基板２２８には、フラットケーブル２３０の一端が接続される。これにより、筐体２０１内部のピンエレクトロニクス２１０と、後述するコンタクタ２０２とを、フラットケーブル２３０を介して接続できる。
【００６５】
筐体２０１の下面には、コンタクタ２０２が装着される。コンタクタ２０２は、支持基板２４０、三次元アクチュエータ２５０、コンタクタ基板２６０、サブ基板２７０およびコンタクタハウジング２８０を有する。
【００６６】
支持基板２４０は、上面を筐体２０１に対して固定されると共に、下面において、三次元アクチュエータ２５０の上端を支持する。三次元アクチュエータ２５０の下端は、コンタクタ基板２６０を支持する。更に、コンタクタ基板２６０の下面には、サブ基板２７０およびコンタクタハウジング２８０が固定される。
【００６７】
三次元アクチュエータ２５０は、支持基板２４０の下面に沿って水平方向に移動し得ると共に、垂直方向にも伸縮する。これにより、コンタクタ基板２６０を、三次元的に移動させることができる。コンタクタ基板２６０が移動した場合、コンタクタ基板２６０と共に、サブ基板２７０およびコンタクタハウジング２８０も移動する。
【００６８】
なお、フラットケーブル２３０の下端は、コンタクタハウジング２８０に保持された端子、例えばスプリングピンに結合される。これにより、ピンエレクトロニクス２１０は、テストヘッド２００の最下面まで電気的に接続される。また、ここでは一例としてスプリングピンを挙げたが、容量結合、光接続等、スプリングピンを用いない接続を含む構造も採り得る。
【００６９】
図６は、プローブカード３００の分解図の一例を概略的に示す。プローブカード３００は、配線基板３２０、ＰＣＲシート３４０、インタポーザ３５０、ＰＣＲシート３６０およびメンブレンユニット３７０を備える。
【００７０】
配線基板３２０は、比較的機械強度の高い絶縁基板、例えばポリイミド板により形成される。配線基板３２０の周縁部は、それぞれが枠状の上部フレーム３１２および下部フレーム３１４に挟まれる。上部フレーム３１２および下部フレーム３１４は、互いに積層してネジ３１６により締結されている。これにより、配線基板３２０の機械的強度は更に向上される。
【００７１】
配線基板３２０の上面には、複数のガイドユニット３３０が配される。ガイドユニット３３０は、コンタクタ２０２が配線基板３２０に当接する場合に、コンタクタ２０２を案内して位置決めするコネクタガイドとして機能する。配線基板３２０の下面には、接触により電気的接続を得られる複数のコンタクトパッド３２３が配される。コンタクトパッド３２３は、配線基板３２０の上面において、ガイドユニット３３０の内側に配された、図示されていないコンタクトパッドに電気的に接続される。
【００７２】
ＰＣＲシート３４０は、表裏を貫通する貫通電極３４１を有する。ＰＣＲシート３４０の貫通電極３４１は、配線基板３２０下面のコンタクトパッド３２３と同じレイアウトを有する。これにより、配線基板３２０とＰＣＲシート３４０とが密接して積層された場合、コンタクトパッド３２３および貫通電極３４１は、互いに電気的に接続される。
【００７３】
インタポーザ３５０は、上面および下面に、それぞれコンタクトパッド３５１およびコンタクトパッド３５３を有する。上面のコンタクトパッド３５１は、ＰＣＲシート３４０の貫通電極３４１と同じレイアウトを有する。これにより、ＰＣＲシート３４０とインタポーザ３５０とが密接して積層された場合、コンタクトパッド３５１は貫通電極３４１と電気的に接続される。
【００７４】
下面のコンタクトパッド３５３のそれぞれは、上面のコンタクトパッド３５１のいずれかに対応しており、対応するコンタクトパッド３５１とコンタクトパッド３５３とは互いに電気的に接続される。下面のコンタクトパッド３５３は、上面のコンタクトパッド３５１と異なるレイアウトを有してよい。即ち、コンタクトパッド３５１とコンタクトパッド３５３ではピッチを変えてよい。
【００７５】
インタポーザ３５０を用いることで、インタポーザ３５０下面のコンタクトパッド３５３をウエハ１０１の試験パッドに一致させた場合でも、インタポーザ３５０上面のコンタクトパッド３５１を任意にレイアウトできる。ウエハ１０１の試験パッドは集積回路上に形成されており、試験パッドの試験面積も小さく、パッド相互のピッチも小さい。しかし、インタポーザ３５０を用いることで、コンタクトパッド３５１のピッチをコンタクトパッド３５３のピッチより大きくすることができる。また、インタポーザ３５０を用いることで、コンタクトパッド３５１の面積をコンタクトパッド３５３の面積より大きくすることができる。これにより、コンタクタ２０２とプローブカード３００との接続を容易且つ確実にできる。
【００７６】
ＰＣＲシート３６０は、表裏を貫通する貫通電極３６１を有する。また、ＰＣＲシート３６０の貫通電極３６１は、インタポーザ３５０下面のコンタクトパッド３５３と同じレイアウトを有する。これにより、インタポーザ３５０とＰＣＲシート３６０とが密接して積層された場合、コンタクトパッド３５３および貫通電極３６１は、互いに電気的に接続される。
【００７７】
メンブレンユニット３７０は、コンタクトパッド３７１、弾性シート３７２、バンプ３７３およびフレーム３７６を有する。弾性シート３７２は、弾性を有する絶縁材料により形成される。弾性シート３７２は、ポリイミド膜であってよい。フレーム３７６は、弾性シート３７２の周縁部を把持して、弾性シート３７２を平坦な状態に維持する。フレーム３７６は、ウエハ１０１と同程度の熱膨張率を有する材料により形成されてよい。
【００７８】
コンタクトパッド３７１は、ＰＣＲシート３６０下面における貫通電極３６１と同じレイアウトで、弾性シート３７２の上面に配される。従って、ＰＣＲシート３４０とメンブレンユニット３７０とが密接して積層された場合、貫通電極３６１およびコンタクトパッド３７１は互いに電気的に接続される。
【００７９】
バンプ３７３は、弾性シート３７２の下面に配される。バンプ３７３は、プローブカード３００の最下面において、ウエハ１０１に対する接触端子として機能する。バンプ３７３は、第２端子の一例であってよい。
【００８０】
バンプ３７３は、ウエハ１０１とプローブカード３００とを位置合わせする場合に、アライメントマークとしても利用できる。ウエハ１０１に対する接触端子として機能するバンプ３７３をアライメントマークとして利用してもよいし、当該バンプ３７３とは別に、アライメントマークとして用いられるバンプ３７３を形成してもよい。ウエハ１０１に対する接触端子として機能するバンプ３７３のレイアウトは、ウエハ１０１上の試験パッドのレイアウトと同じであってよい。アライメントマークとして用いられるバンプ３７３は、試験パッドと電気的に接続するバンプ３７３と同じ工程で形成されてもよい。
【００８１】
ＰＣＲシート３４０、インタポーザ３５０、ＰＣＲシート３６０およびメンブレンユニット３７０の各々は、表裏を貫通する貫通孔３４４、貫通孔３５４、貫通孔３６４および貫通孔３７４を有する。これらの貫通孔は、ＰＣＲシート３４０、インタポーザ３５０、ＰＣＲシート３６０およびメンブレンユニット３７０を積層した場合に、これらの貫通孔が連通するように配される。これにより、部材相互の間の排気を助ける。
【００８２】
図７は、メンブレンユニット３７０の部分拡大断面図の一例を概略的に示す。メンブレンユニット３７０は、コンタクトパッド３７１、弾性シート３７２、バンプ３７３、貫通孔３７４およびフレーム３７６を有する。バンプ３７３の各々は、下方に向かって中央が突出した形状を有する。これにより、バンプ３７３は、プローブカード３００の最下面において、ウエハ１０１に対する接触端子として機能する。
【００８３】
バンプ３７３のそれぞれは、弾性シート３７２に形成されたスルーホールに埋設された貫通電極３７５を介して、コンタクトパッド３７１のいずれかに電気的に接続される。コンタクトパッド３７１は、ＰＣＲシート３６０の貫通電極３６１およびインタポーザ３５０下面のコンタクトパッド３５３と同じレイアウトを有する。これにより、メンブレンユニット３７０、ＰＣＲシート３６０およびインタポーザ３５０が相互に積層された場合、バンプ３７３からインタポーザ３５０に至る電気的接続が形成される。
【００８４】
図８は、ウエハ８１０とプローブカード８２０の平面図の一例を概略的に示す。図８は、ウエハ８１０とプローブカード８２０とが、アライメントマーク８１１およびアライメントマーク８２１が一致するように位置合わせされた状態を示す。図８において、ウエハ８１０の表面に平行で互いに直交する方向をＸ方向およびＹ方向とする。また、図中右方向をＸ方向の正の向き、図中上方向をＹ方向の正の向きとする。
【００８５】
図８を用いて、対応する試験パッドおよびバンプの相対位置について、マイクロスコープ４３０により取得された相対位置の、設計上の相対位置からの変位について説明する。なお、説明を簡単にする目的で、４つの試験パッドを有するウエハ８１０と４つのバンプを有するプローブカード８２０とを用いて説明する。
【００８６】
ウエハ８１０は、ウエハ１０１と同様の構成を有する。ウエハ８１０は、試験パッド８１２、試験パッド８１４、試験パッド８１６および試験パッド８１８と、アライメントマーク８１１とを有する。本実施形態において、アライメントマーク８１１は、４つのバンプにより形成されている。アライメントマーク８１１は、ウエハ８１０の周縁部に、等間隔に配されている。
【００８７】
プローブカード８２０は、プローブカード３００と同様の構成を有する。プローブカード８２０は、バンプ８２２、バンプ８２４、バンプ８２６およびバンプ８２８と、アライメントマーク８２１とを有する。それぞれのバンプは、バンプ３７３と同様の構成を有する。本実施形態において、アライメントマーク８２１は、４つのバンプにより形成されている。アライメントマーク８２１は、プローブカード８２０の周縁部に、等間隔に配されている。なお、図８における点線は、それぞれのバンプをウエハ８１０上に投影した場合における、それぞれのバンプの輪郭を示す。
【００８８】
アライメントマーク８１１およびアライメントマーク８２１は、これらが互いに一致するようにウエハ８１０とプローブカード８２０とを位置合わせした場合に、対応する試験パッドとバンプとが十分接触するように設計されている。しかし、多くの場合、試験パッドまたはバンプの製造誤差、ウエハ８１０およびプローブカード８２０の熱膨張率の差などにより、アライメントマーク８１１およびアライメントマーク８２１が一致するようにウエハ８１０とプローブカード８２０とが位置合わせされている場合であっても、試験パッドとバンプとの間に位置ずれが生じる。
【００８９】
即ち、製造誤差などにより、対応する試験パッドとバンプの相対位置は、設計上の相対位置から変位している。このような位置ずれまたは変位量が大きくなると、試験パッドとバンプの接触状態が悪化して、試験の安定性に影響を与える場合がある。なお、本明細書において、対応する試験パッドとバンプとの「変位量」とは、対応する試験パッドとバンプとの相対位置が、設計上の相対位置から変位した量を表す。例えば、試験パッドの中心と、対応するバンプの中心とが一致するように設計されている場合、上記「変位量」は、試験パッドの中心と対応するバンプの中心との位置ずれを測定することで算出できる。
【００９０】
図８を用いて、対応する試験パッドとバンプの「変位量」の算出方法を説明する。説明を簡単にする目的で、図８には、ウエハ８１０およびプローブカード８２０においては、対応する試験パッドとバンプの形状が同一であり、アライメントマークを用いてウエハ８１０とプローブカード８２０とを位置合わせした場合、対応する試験パッドとバンプの中心が一致するよう設計されている場合を示す。
【００９１】
試験パッド８１２とバンプ８２２の相対位置は、設計時点と比較してＸ方向の正の向きにＸ２だけ変位しており、Ｙ方向の正の向きにＹ２だけ変位している。同様に、試験パッド８１４とバンプ８２４の相対位置は、Ｘ方向の負の向きにＸ４だけ変位しており、Ｙ方向の正の向きにＹ４だけ変位している。試験パッド８１６とバンプ８２６の相対位置は、Ｘ方向の正の向きにＸ６だけ変位しており、Ｙ方向の負の向きにＹ６だけ変位している。試験パッド８１８とバンプ８２８の相対位置は、Ｘ方向の正の向きにＸ８だけ変位しており、Ｙ方向の負の向きにＹ８だけ変位している。ウエハ１０１上の試験パッドとプローブカード３００上のバンプとの間でも、同様にして、変位量を算出できる。
【００９２】
図９は、制御システム５００のシステム構成の一例を概略的に示す。制御システム５００は、操作部１２０、テストヘッド２００、アライメントユニット４００、マイクロスコープ４３０および記憶部５１０と接続される。本実施形態においては、マイクロスコープ４３０は、記憶部５１０と接続される。
【００９３】
制御システム５００は、操作部１２０から、試験装置１００の設定、操作等に関する情報を受け取る。制御システム５００は、ウエハ１０１とプローブカード３００との相対位置の最適値を探索する場合の設定値を受け取ってよい。制御システム５００は、ウエハ１０１の表面に設けられた複数の試験パットの位置情報、および、プローブカード３００の表面に設けられた複数のバンプの位置情報を受け取ってよい。制御システム５００は、操作部１２０に対して、試験装置１００の動作状態に関する情報、試験に関する情報を通知する。
【００９４】
ウエハ１０１とプローブカード３００との相対位置の最適値を探索する場合の設定値としては、試験パッドとバンプの変位量の最大値としてユーザが許容できる値、ウエハ１０１の試験においてウエハ１０１が不良であると判断された場合に、当該不良の原因を判断する基準となる値、上記相対位置を変化させながら上記相対位置の最適値を探索する場合における一回あたりの変化量、変化量の最大値などを例示できる。
【００９５】
制御システム５００は、ウエハ１０１とプローブカード３００との相対位置の最適値を探索する。制御システム５００は、ウエハ１０１の表面に設けられた複数の試験パットの位置情報、および、プローブカード３００の表面に設けられた複数のバンプの位置情報に基づいて、ウエハ１０１とプローブカード３００との相対位置を決定する。制御システム５００は、複数の試験パッドのそれぞれと対応する複数のバンプのそれぞれとの変位量を算出し、変位量の最大値を予め定められた値より小さくすべく、ウエハ１０１とプローブカード３００との相対位置を決定してよい。
【００９６】
制御システム５００は、決定した相対位置における変位量を、複数のバンプのそれぞれと対応づけて記憶部５１０に通知してよい。記憶部５１０は、制御システム５００から受け取った情報を記憶する。記憶部５１０は、第２の記憶部の一例であってよい。また、制御システム５００は、決定した相対位置における変位量を、ウエハ１０１の表面に設けられた複数の試験パッドのそれぞれに対応付けて記憶部５１０に通知してもよい。
【００９７】
制御システム５００は、テストヘッド２００から、ウエハ１０１の試験結果に関する情報を受け取る。制御システム５００は、試験プログラムに従ってテストヘッド２００を制御する。例えば、制御システム５００は、テストヘッド２００に対して、試験の進行に関する情報、試験データを通知する。
【００９８】
制御システム５００は、テストヘッドから受け取ったウエハ１０１の試験結果に基づき、被試験デバイスの一例であるウエハ１０１上の複数のチップのそれぞれの良否を判定してよい。制御システム５００は、ウエハ１０１上の複数のチップの良否情報を、プローブカードの表面に設けられた複数のバンプのそれぞれに対応付けて記憶部５１０に通知してよい。記憶部５１０は、制御システム５００から受け取った情報を記憶してよい。記憶部５１０は、第２の記憶部の一例であってよい。また、制御システム５００は、ウエハ１０１上の複数のチップの良否情報を、ウエハ１０１の表面に設けられた複数の試験パッドのそれぞれに対応付けて記憶部５１０に通知してもよい。
【００９９】
制御システム５００は、アライメントユニット４００に対して、ウエハ１０１の搬送に関する情報、ウエハ１０１とプローブカード３００との位置合わせに関する情報等を通知する。アライメントユニット４００は、制御システム５００からの情報に基づき、ウエハ１０１を適切なテストヘッド２００に搬送し、ウエハ１０１を対応するプローブカード３００と位置合わせし、ウエハ１０１とプローブカード３００とを一体化させる。制御システム５００は、アライメントユニット４００からウエハ１０１の現在の状況に関する情報を受け取る。
【０１００】
制御システム５００は、マイクロスコープ４３０に対して、ウエハ１０１およびプローブカード３００を撮像するよう指示する。マイクロスコープ４３０は、制御システム５００からの指示に基づいて、ウエハ１０１およびプローブカード３００を撮像し、ウエハ１０１の表面に設けられた複数の試験パットの位置情報、または、プローブカード３００の表面に設けられた複数のバンプの位置情報を取得する。マイクロスコープ４３０は、取得した位置情報を記憶部５１０に通知する。記憶部５１０は、マイクロスコープ４３０から受け取った位置情報を記憶する。
【０１０１】
制御システム５００は、記憶部５１０から、記憶部５１０に記憶されている情報を受け取る。制御システム５００は、記憶部５１０に対して、操作部１２０、テストヘッド２００およびアライメントユニット４００から受け取った情報を通知する。制御システム５００が通信回線を介して情報を受け取った場合、制御システム５００はこれらの情報を記憶部５１０に通知する。記憶部５１０は、制御システム５００から受け取った情報を記憶する。
【０１０２】
以下、制御システム５００による試験装置１００の制御について説明する。制御システム５００は、記憶部５１０から、ウエハ１０１の表面に設けられた複数の試験パットの位置情報、および、プローブカード３００の表面に設けられた複数のバンプの位置情報を受け取り、操作部１２０から受け取った設定値に基づき、ウエハ１０１とプローブカード３００との相対位置の最適値を探索し、当該相対位置を決定する。
【０１０３】
例えば、複数の試験パットの位置情報および複数のバンプの位置情報に基づいて、試験パットのそれぞれについて、対応するバンプとの変位量を算出する。そして、算出した変位量の最大値が予め定められた値より小さくなるよう、ウエハ１０１とプローブカード３００との相対位置を決定する。予め定められた値は、操作部１２０から受け取ったユーザの許容できる値であってよい。算出した変位量の最大値が予め定められた値より小さくならない場合には、制御システム５００は操作部１２０に対してその旨を通知し、操作部１２０はその旨をディスプレイ１２２に表示してよい。
【０１０４】
次に、制御システム５００は、決定した相対位置に基づいて、アライメントユニット４００を制御して、ウエハ１０１とプローブカード３００とを位置合わせする。その後、制御システム５００は、テストヘッド２００を制御して、ウエハ１０１の試験を実行する。制御システム５００は、テストヘッド２００からウエハ１０１の試験結果を受け取る。
【０１０５】
更に、制御システム５００は、上記試験によりウエハ１０１が不良であると判断された場合に、当該不良の原因を解析してよい。当該解析は、例えば、以下の手順で実行できる。制御システム５００は、解析部の一例であってよい。
【０１０６】
制御システム５００は、試験を実行するたびに、複数の試験パッドの位置情報および複数のバンプの位置情報に基づいて、複数のバンプのそれぞれについて、位置合わせされた状態における、対応する試験パッドとの変位量を算出する。そして、制御システム５００は、プローブカード３００の複数のバンプのそれぞれについて、位置合わせされた状態における変位量を記憶部５１０に記憶させる。また、制御システム５００は、試験を実行するたびに、当該試験の結果を複数のバンプのそれぞれと対応付けて記憶部５１０に記憶させる。
【０１０７】
上記試験によりウエハ１０１が不良であると判断された場合、制御システム５００は、不良箇所における変位量が所定値より小さい場合には、ウエハ１０１またはプローブカード３００に問題があると判断する。さらに、試験対象によらず、一定のバンプを用いた場合に不良が発生している場合には、プローブカード３００に問題があると判断する。一方、不良箇所における変位量が所定値より大きい場合には、ウエハ１０１とプローブカード３００との接続状態に問題があると判断する。制御システム５００は、上記の所定値を操作部１２０から受け取ってよい。
【０１０８】
本実施形態において、試験装置１００は複数のプローブカード３００を備える。また、試験装置１００は、複数のプローブカード３００のそれぞれに対応し、被試験デバイスを試験する複数のテストヘッド２００を備え、複数のプローブカード３００のそれぞれは、複数のテストヘッド２００のそれぞれと被試験デバイスとを電気的に接続する。この場合、制御システム５００は、試験装置１００を以下のように制御してもよい。
【０１０９】
まず、制御システム５００は、アライメントユニット４００およびマイクロスコープ４３０を制御して、複数のプローブカード３００のそれぞれについて、その表面に設けられた複数のバンプの位置情報を取得する。また、制御システム５００は、アライメントユニット４００およびマイクロスコープ４３０を制御して、ウエハ１０１の表面に設けられた複数の試験パッドの位置情報を取得する。なお、制御システム５００は、複数のバンプの位置情報および複数の試験パッドの位置情報の少なくとも一方を操作部１２０または通信回線を介して取得してもよい。
【０１１０】
次に、制御システム５００は、複数の試験パットの位置情報および複数のプローブカード３００のそれぞれにおける複数のバンプの位置情報に基づいて、複数のプローブカード３００のそれぞれについて、ウエハ１０１とプローブカード３００との相対位置の最適値を探索し、当該相対位置を決定する。例えば、複数のプローブカード３００のそれぞれについて、対応する試験パットとバンプとの変位量の最大値を予め定められた値より小さくすべく、上記相対位置を決定する。そして、プローブカード３００のそれぞれについて決定した相対位置における、試験パッドとバンプの変位量の最大値を算出する。
【０１１１】
そして、制御システム５００は、どのプローブカード３００を用いて試験を実行するかを選択する。このとき、制御システム５００は、当該変位量の最大値に基づいて、複数のプローブカード３００のいずれかを選択する。例えば、制御システム５００は、当該変位量の最大値がもっとも小さいプローブカード３００を選択する。また、当該変位量の最大値がもっとも小さいプローブカード３００が試験に使用されている場合には、当該変位量の最大値がその次に小さいプローブカード３００を選択してもよい。
【０１１２】
その後、制御システム５００は、アライメントユニット４００を制御して、ウエハ１０１と選択したプローブカード３００とを位置合わせをすべく、ウエハ１０１をプローブカード３００の直下に搬送する。制御システム５００は、アライメントユニット４００に、選択したプローブカード３００について決定したウエハ１０１との相対位置の情報を通知する。アライメントユニット４００は、制御システム５００からの信号に基づいて、選択されたプローブカード３００とウエハ１０１との相対位置を調整し、選択されたプローブカード３００とウエハ１０１とを電気的に接続させる。
【０１１３】
これにより、より安定的に試験を実行することができる。なお、本実施形態においては、テストヘッド２００とプローブカード３００が１対１に対応する場合について説明したが、これに限定されない。例えば、試験装置１００が１基のテストヘッド２００に対して、複数のプローブカード３００を有してもよい。
【０１１４】
制御システム５００は、ハードウエアにより実現されてもよく、ソフトウエアにより実現されてもよい。制御システム５００は、被試験デバイスの試験に特化したシステムであってもよく、パーソナルコンピュータ等の汎用の情報処理装置であってもよい。例えば、ＣＰＵ、ＲＯＭ、ＲＡＭ、通信インターフェース等を有するデータ処理装置と、入力装置と、出力装置と、記憶装置とを備えた一般的な構成の情報処理装置において、試験装置１００の各部の動作を規定したソフトウエアを起動することにより、制御システム５００を実現できる。
【０１１５】
制御システム５００は、上記のような情報処理装置を制御して、制御システム５００を実現するプログラム、または、当該プログラムを記録した記録媒体によって提供されてよい。上記記録媒体は、フロッピーディスク（登録商標）、ハードディスク等の磁気記録媒体、ＣＤ−ＲＯＭ等の光学記録媒体、ＭＤ等の光磁気記録媒体、ＩＣカード等の半導体メモリを用いることができる。また、専用通信ネットワークまたはインターネットに接続されたサーバシステムに設けたハードディスクまたはＲＡＭ等の記憶装置を記録媒体として使用して、ネットワークを介して、上記情報処理装置にプログラムを提供してもよい。なお、上記特化したシステムおよび上記情報処理装置は、単一のコンピュータにより構成されてもよく、ネットワーク上に分散した複数のコンピュータにより構成されてもよい。
【０１１６】
上記プログラムは、記録媒体から情報処理装置に読み込まれ、情報処理装置の動作を制御する。例えば、情報処理装置は、上記プログラムの制御により、試験装置１００に対して、被試験デバイスの表面に設けられた複数の第１端子の位置情報、および、被試験デバイスの試験に用いられるプローブカードの表面に設けられた複数の第２端子の位置情報を取得する手順と、複数の第１端子の位置情報および複数の第２端子の位置情報に基づいて、複数の第１端子のそれぞれと、対応する前複数の第２端子のそれぞれとの変位量を算出し、変位量の最大値を予め定められた値より小さくすべく、被試験デバイスとプローブカードとを位置合わせする手順とを実行させる。これにより、情報処理装置は、図９における制御システム５００による処理と同一の処理を実行する。
【０１１７】
本実施形態において、メインフレーム１６０に設けられた制御システム５００が、操作部１２０、テストヘッド２００、アライメントユニット４００、マイクロスコープ４３０および記憶部５１０を制御する場合について説明した。しかしながら、制御システム５００の構成はこれに限定されない。例えば、制御システム５００の機能の一部を試験装置１００の各部が担ってもよい。また、制御システム５００が位置情報取得部の機能を担ってもよい。
【０１１８】
図１０は、試験装置１００の試験方法のフローチャートの一例を示す。以下、説明を簡単にする目的で、図８に示したウエハ８１０とプローブカード８２０とを用いて、試験装置１００を用いた位置合わせ方法および試験方法について説明する。
【０１１９】
まず、Ｓ１０１０において、ウエハ８１０の表面に設けられた複数の試験パッドの位置情報、および、プローブカード８２０の表面に設けられた複数のバンプの位置情報を取得する。マイクロスコープ４３０によりウエハ８１０およびプローブカード８２０を撮像することにより、上記位置情報を取得してよい。この場合、実際の画像に基づいて位置情報を取得できるので、温度による変位への影響などを把握できる。また、操作部１２０または通信回線を介して、上記位置情報を取得してもよい。これにより、位置合わせに要する時間を短縮できる。
【０１２０】
Ｓ１０２０において、複数の試験パッドの位置情報および複数のバンプの位置情報に基づいて、複数の試験パッドのそれぞれについて、対応するバンプとの変位量を算出する。本実施形態においては、Ｘ方向の変位量Ｘ２、Ｘ４、Ｘ６およびＸ８と、Ｙ方向の変位量Ｙ２、Ｙ４、Ｙ６およびＹ８とを算出する。そして、Ｘ方向の正方向および負方向、Ｙ方向の正方向および負方向のそれぞれにおける、上記変位量の最大値を算出する。図８においては、例えば、Ｘ方向の正方向および負方向ならびにＹ方向の正方向および負方向における上記最大値は、それぞれ、Ｘ２、Ｘ４、Ｙ４およびＹ６となる。
【０１２１】
このようにして得られた上記変位量の最大値に基づいて、ウエハ８１０とプローブカード８２０との相対位置を決定する。例えば、上記変位量の最大値のそれぞれが、予め定められた値より小さくなるように、ウエハ８１０とプローブカード８２０との相対位置を決定する。
【０１２２】
Ｓ１０２０において、決定されたウエハ８１０とプローブカード８２０との相対位置に基づいて、複数のバンプのそれぞれについて、位置合わせされた状態における、対応する試験パッドとの変位量を算出してよい。また、複数のバンプのそれぞれについて、上記変位量を記憶してよい。
【０１２３】
上記予め定められた値は、方向によって異なってよい。例えば、Ｘ方向における予め定められた値と、Ｙ方向における予め定められた値とは異なってもよい。例えば、試験結果を解析することにより、プローブカードによって特定の方向に変位を起こしやすいことが判明した場合には、当該方向における予め定められた値を、他の方向における予め定められた値より小さく設定してよい。これにより、より安定した試験を実施できる。
【０１２４】
相対位置の決定方法の他の例としては、上記最大値の絶対値の和が予め定められた値よち小さくなるように、ウエハ８１０とプローブカード８２０との相対位置を決定してよい。また、上記最大値の絶対値の和を求めるときに、方向により重み付けを行ってもよい。
【０１２５】
次に、Ｓ１０３０において、Ｓ１０２０で決定されたウエハ８１０とプローブカード８２０との相対位置に基づいて、ウエハ８１０とプローブカード８２０とを位置合わせする。その後、Ｓ１０４０において、ウエハ８１０の試験を実行する。Ｓ１０５０において、ウエハ８１０の試験結果が良好であったか不良であったかを判定する。また、Ｓ１０５０において、ウエハ８１０の試験結果を、複数のバンプのそれぞれと対応付けて記憶してよい。例えば、試験パッド８１２に対応するデバイスの試験結果が不良であった場合には、当該デバイスの試験結果と、バンプ８２２とを対応付けて記憶してよい。
【０１２６】
Ｓ１０５０において、ウエハ８１０の試験結果が良好であった場合には、試験を終了する。Ｓ１０５０において、ウエハ８１０の試験結果が不良であった場合には、Ｓ１０６０において、当該不良の原因を解析してよい。例えば、不良箇所における変位量が所定値より小さい場合には、ウエハ８１０またはプローブカード８２０に問題があると判断する。一方、不良箇所における変位量が所定値より大きい場合には、ウエハ８１０とプローブカード８２０との接続状態に問題があると判断する。当該不良の原因を解析した後、試験を終了する。
【０１２７】
上記の試験方法によれば、ウエハ８１０およびプローブカード８２０から複数の試験パッドの位置情報および複数のバンプの位置情報を取得し、対応する試験パッドとバンプとの変位量の最大値に基づいて、ウエハ８１０とプローブカード８２０との相対位置を決定する。これにより、対応する試験パッドとバンプの相対位置が、設計時の相対位置から変位している場合であっても、すべての試験パッドおよびバンプの接触状態を向上させることができる。
【０１２８】
図１１は、図１０のＳ１０２０における相対位置の決定方法のフローチャートの一例を示す。図１１を用いて、上記変位量の最大値を最小とすべく、ウエハ８１０とプローブカード８２０との相対位置を決定する場合について説明する。
【０１２９】
Ｓ１１１０において、アライメントマーク８１１およびアライメントマーク８２１が一致するように、ウエハ８１０とプローブカード８２０とを位置合わせした場合を仮定して、複数の試験パッドのそれぞれについて、対応するバンプとの変位量を算出する。上記変位量は、図１０のＳ１０１０で取得した複数の試験パッドの位置情報および複数のバンプの位置情報を情報処理することにより算出できる。上述の通り、本実施形態においては、Ｘ方向の正方向および負方向ならびにＹ方向の正方向および負方向における上記最大値は、それぞれ、Ｘ２、Ｘ４、Ｙ４およびＹ６となる。
【０１３０】
Ｓ１１２０において、ウエハ８１０とプローブカード８２０との相対位置を変化させた複数の場合について、Ｓ１１１０と同様にして、対応する試験パッドとバンプとの変位量の最大値を算出する。例えば、ウエハ８１０とプローブカード８２０との相対位置を、Ｓ１１１０における状態からＸ方向の正方向に０．１マイクロメートルづつ移動させて、それぞれの場合について、対応する試験パッドとバンプとの変位量の最大値を算出する。上記変位量の最大値は、Ｘ方向の正方向および負方向ならびにＹ方向の正方向および負方向の４方向のそれぞれについて算出してよい。
【０１３１】
試験パッド８１２とバンプ８２２とが接触しない状態になると、ウエハ８１０とプローブカード８２０との相対位置を、Ｓ１１１０における状態からＸ方向の負方向に０．１マイクロメートルづつ移動させて、それぞれの場合について、対応する試験パッドとバンプとの変位量の最大値を算出する。試験パッド８１４とバンプ８２４とが接触しない状態になると、ウエハ８１０とプローブカード８２０との相対位置を、Ｓ１１１０における状態からＹ方向の正方向に０．１マイクロメートルづつ移動させて、それぞれの場合について、対応する試験パッドとバンプとの変位量の最大値を算出する。
【０１３２】
試験パッド８１４とバンプ８２４とが接触しない状態になると、ウエハ８１０とプローブカード８２０との相対位置を、Ｓ１１１０における状態からＹ方向の負方向に０．１マイクロメートルづつ移動させて、それぞれの場合について、対応する試験パッドとバンプとの変位量の最大値を算出する。そして、試験パッド８１６とバンプ８２６とが接触しない状態になると、変位量の最大値の算出を終了する。このようにして、ウエハ８１０とプローブカード８２０との相対位置を変化させた複数の場合について、対応する試験パッドとバンプとの変位量の最大値が得られる。
【０１３３】
Ｓ１１３０において、上記変位量の最大値に基づいて、上記変位量の最大値が最小になる場合を推定する。例えば、４方向のそれぞれについて上記最大値を算出している場合には、各方向における上記最大値の絶対値の和がもっとも小さくなる場合に、上記変位量の最大値が最小になると推定する。上記最大値の絶対値の和を求める場合には、重み付けを行ってもよい。重み付けは、変位の方向、または、試験パッドもしくはバンプの機能により行ってよい。他の例としては、適切な補間法を用いて、上記変位量の最大値が最小になる場合を推定してもよい。
【０１３４】
Ｓ１１４０において、Ｓ１１３０で推定された上記変位量の最大値が、予め定められた値より小さいか否かを判定する。Ｓ１１４０において、上記変位量の最大値が最小になると推定された場合における上記変位量の最大値が、予め定められた値より小さい場合には、そのときのウエハ８１０とプローブカード８２０との相対位置を用いて、ウエハ８１０とプローブカード８２０とを位置合わせすることを決定する。
【０１３５】
一方、Ｓ１１４０において、上記変位量の最大値が予め定められた値より小さくない場合には、Ｓ１１６０において、上記変位量が上記予め定められた値より大きい試験パッドおよびバンプを記憶してよい。これにより、当該箇所については試験を実行しない、ユーザにその旨を伝達するなどの対応が可能になる。その後、相対位置の決定を終了する。
【０１３６】
図１２は、試験装置１００の試験方法のフローチャートの別の例を示す。図１２は、複数のプローブカード８２０を準備し、ウエハ８１０との接続状態がより良好になるプローブカード８２０を選択する試験方法の一例を示す。
【０１３７】
Ｓ１２１０において、複数のプローブカード８２０のそれぞれについて、複数のバンプの位置情報を取得する。また、ウエハ８１０上の複数の試験パッドの位置情報を所得する。次に、Ｓ１２２０において、図１０および図１１に関連して説明した方法と同様にして、複数のプローブカード８２０のそれぞれについて、ウエハ８１０との相対位置を決定する。
【０１３８】
Ｓ１２３０において、複数のプローブカード８２０のいずれを用いて位置合わせを実行するかを決定する。Ｓ１２３０では、Ｓ１２２０で決定された相対位置における変位量の最大値を比較して、複数のプローブカード８２０の中から１つを選択する。このとき、変位の方向、または、試験パッドもしくはバンプの機能により重み付けを行ってよい。
【０１３９】
Ｓ１２４０において、ウエハ８１０と、Ｓ１２３０において選択されたプローブカード８２０との位置合わせを実行する。Ｓ１２４０では、Ｓ１２２０において決定された相対位置に基づいて、ウエハ８１０とプローブカード８２０とを位置合わせする。これにより、より安定的に試験を実行することができる。
【０１４０】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、請求の範囲の記載から明らかである。
【０１４１】
請求の範囲、明細書、および図面において示した装置、システム、プログラム、および方法における動作、手順、ステップおよび段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【図１】
2011027392.tif 000003
【図２】
2011027392.tif 000004
【図３】
2011027392.tif 000005
【図４】
2011027392.tif 000006
【図５】
2011027392.tif 000007
【図６】
2011027392.tif 000008
【図７】
2011027392.tif 000009
【図８】
2011027392.tif 000010
【図９】
2011027392.tif 000011
【図１０】
2011027392.tif 000012
【図１１】
2011027392.tif 000013
【図１２】
2011027392.tif 000014
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
被試験デバイスの表面に設けられた複数の第１端子の位置情報、および、前記被試験デバイスの試験に用いられるプローブカードの表面に設けられた複数の第２端子の位置情報を取得する、位置情報取得部と、
前記位置情報取得部により取得された前記複数の第１端子の位置情報および前記複数の第２端子の位置情報に基づいて、前記複数の第１端子のそれぞれと、前記複数の第１端子のそれぞれに対応する前記複数の第２端子のそれぞれとの変位量を、それぞれ算出し、算出された複数の前記変位量のうちの最大値を予め定められた値より小さくすべく、前記被試験デバイスと前記プローブカードとの相対位置を決定する制御部と、
前記制御部からの信号に基づいて、前記被試験デバイスと前記プローブカードとの相対位置を調整し、前記被試験デバイスと前記プローブカードとを電気的に接続させる、位置合わせ部と、
を備える、
試験装置。
【請求項２】
複数の前記プローブカードと、
前記複数のプローブカードのそれぞれに対応し、前記被試験デバイスを試験する、複数のテストヘッドとをさらに備え、
前記複数のプローブカードのそれぞれは、前記複数のテストヘッドのそれぞれと前記被試験デバイスとを電気的に接続する、
請求項１に記載の試験装置。
【請求項３】
被試験デバイスの表面に設けられた複数の第１端子の位置情報、および、前記被試験デバイスの試験に用いられるプローブカードの表面に設けられた複数の第２端子の位置情報を取得する、位置情報取得部と、
前記位置情報取得部により取得された前記複数の第１端子の位置情報および前記複数の第２端子の位置情報に基づいて、前記複数の第１端子のそれぞれと、前記複数の第１端子のそれぞれに対応する前記複数の第２端子のそれぞれとの変位量を、それぞれ算出し、算出された複数の前記変位量のうちの最大値を予め定められた値より小さくすべく、前記被試験デバイスと前記プローブカードとの相対位置を決定する、制御部と、
前記制御部により決定された前記相対位置における前記変位量を、前記複数の第２端子のそれぞれと対応づけて記憶する、第１の記憶部と、
前記制御部からの信号に基づいて、前記被試験デバイスと前記プローブカードとの相対位置を調整し、前記被試験デバイスと前記プローブカードとを電気的に接続させる、位置合わせ部と、
前記プローブカードと電気的に接続された前記被試験デバイスを試験する、テストヘッドと、
前記試験の結果を、前記複数の第２端子のそれぞれと対応付けて記憶する、第２の記憶部と、
前記試験により前記被試験デバイスが不良であると判断された場合において、不良箇所における前記変位量が所定値より小さい場合には、前記被試験デバイスまたは前記プローブカードに問題があると判断し、前記不良箇所における前記変位量が所定値より大きい場合には、前記被試験デバイスと前記プローブカードとの接続状態に問題があると判断する、解析部と、
を備える、
試験装置。
【請求項４】
前記位置情報取得部は、前記被試験デバイスの表面および前記プローブカードの表面の少なくとも一方を撮像する撮像部である、
請求項１から請求項３までのいずれか一項に記載の試験装置。
【請求項５】
被試験デバイスの表面に設けられた複数の第１端子の位置情報、および、前記被試験デバイスの試験に用いられるプローブカードの表面に設けられた複数の第２端子の位置情報を取得する段階と、
前記複数の第１端子の位置情報および前記複数の第２端子の位置情報に基づいて、前記複数の第１端子のそれぞれと、前記複数の第１端子のそれぞれに対応する前記複数の第２端子のそれぞれとの変位量を、それぞれ算出し、算出された複数の前記変位量のうちの最大値を予め定められた値より小さくすべく、前記被試験デバイスと前記プローブカードとを位置合わせする段階と、
を備える、
試験方法。
【請求項６】
前記複数の変位量のうちの最大値を最小とすべく、前記被試験デバイスと前記プローブカードとを位置合わせする、
請求項５に記載の試験方法。
【請求項７】
前記位置合わせする段階は、
前記被試験デバイスと前記プローブカードとの相対位置を変化させた複数の場合のそれぞれについて、前記複数の変位量のうちの最大値を算出する段階と、
前記複数の場合のそれぞれについて算出された前記複数の変位量のうちの最大値に基づいて、前記被試験デバイスと前記プローブカードとの相対位置を決定する段階と、
を有する
請求項５または請求項６に記載の試験方法。
【請求項８】
前記位置情報を取得する段階は、
複数の前記プローブカードを準備する段階と、
前記複数のプローブカードのそれぞれについて、前記複数の第２端子の位置情報を取得する段階と、
を有し、
前記位置合わせする段階は、
前記複数の変位量のうちの最大値を予め定められた値より小さくすべく、前記被試験デバイスと前記複数のプローブカードのそれぞれとの相対位置を決定する段階と、
決定された前記相対位置における前記変位量の最大値に基づいて、前記複数のプローブカードのいずれかを選択する段階と、
を有し、
前記相対位置を決定する段階で決定された前記相対位置に基づいて、前記被試験デバイスと、前記複数のプローブカードのいずれかを選択する段階で選択された前記プローブカードとを位置合わせする、
請求項５から請求項７までの何れか一項に記載の試験方法。
【請求項９】
前記複数の第１端子の位置情報および前記複数の第２端子の位置情報に基づいて、前記複数の第２端子のそれぞれについて、位置合わせされた状態における、対応する第１端子との変位量を算出する段階と、
前記複数の第２端子のそれぞれについて、前記位置合わせされた状態における変位量を記憶する段階と、
前記被試験デバイスを試験する段階と、
前記試験の結果を、前記複数の第２端子のそれぞれと対応付けて記憶する段階と、
を更に備え、
前記試験により前記被試験デバイスが不良であると判断された場合に、
不良箇所における前記位置合わせされた状態における変位量が所定値より小さい場合には、前記被試験デバイスまたは前記プローブカードに問題があると判断し、
前記不良箇所における前記位置合わせされた状態における変位量が所定値より大きい場合には、前記被試験デバイスと前記プローブカードとの接続状態に問題があると判断する、
請求項５から請求項８までの何れか一項に記載の試験方法。
【請求項１０】
被試験デバイスを試験する試験装置に、
被試験デバイスの表面に設けられた複数の第１端子の位置情報、および、前記被試験デバイスの試験に用いられるプローブカードの表面に設けられた複数の第２端子の位置情報を取得する手順と、
前記複数の第１端子の位置情報および前記複数の第２端子の位置情報に基づいて、前記複数の第１端子のそれぞれと、前記複数の第１端子のそれぞれに対応する前記複数の第２端子のそれぞれとの変位量を、それぞれ算出し、算出された複数の前記変位量のうちの最大値を予め定められた値より小さくすべく、前記被試験デバイスと前記プローブカードとを位置合わせする手順と、
を実行させる、
プログラム。
【国際調査報告】
2011027392.tif 000015
2011027392.tif 000016